(57)【要約】【課題】  画像が形成された記録材にしわが発生する兆候をより早くより確実に検知する。【解決手段】  画像形成装置１００は、例えばパーソナルコンピュータやサーバマシンなどのホスト装置から送信されてくる画像データや、画像読取ユニットによって生成された画像データに基づいて可視画像を用紙に形成する。この際、画像形成装置１００は、その画像データの内容を参照して、画像の規則性を抽出する。そして、画像形成装置１００は、用紙に対する定着処理後にセンサ４５によってその用紙上の可視画像を読み取り、可視画像の規則性に乱れがあるか否かを判断する。乱れがあると判断された場合には、用紙におけるしわの発生に関連した情報を出力する。よって、画質に重大な影響を及ぼすようなしわが発生する前に、しわ発生に関連する情報をユーザに伝えることができる。【選択図】      図２
2006126282.tif 000002
【特許請求の範囲】
【請求項１】
画像データに基づいて可視画像を像担持体に形成し、該可視画像を記録材に転写する画像形成手段と、
前記画像データによって表される可視画像が有する規則性を抽出する抽出手段と、
前記抽出手段によって規則性が抽出されなかった場合には、或る規則性を有する不可視画像を像担持体に形成し、該不可視画像を記録材に転写する不可視画像形成手段と、
前記記録材の搬送路を挟んで対向する一対の部材が接触するニップ領域において、前記記録材を加熱及び加圧することによって前記可視画像または前記不可視画像を前記記録材に定着させる定着手段と、
前記定着手段による定着処理を経た記録材から前記可視画像または前記不可視画像を読み取る読取手段と、
前記抽出手段によって規則性が抽出された場合には、前記読取手段によって読み取られた前記可視画像に当該規則性が存在するか否かを判断する第１の判断手段と、
前記抽出手段によって規則性が抽出されなかった場合には、前記読取手段によって読み取られた前記不可視画像に前記或る規則性が存在するか否かを判断する第２の判断手段と、
前記第１の判断手段または前記第２の判断手段によって規則性が存在しないと判断された場合には、前記記録材におけるしわの発生に関連した情報を出力する情報出力手段と
を備えた画像形成装置。
【請求項２】
前記抽出手段は、主走査方向に平行な複数の線分画像が副走査方向に沿って一定の距離間隔で配置されるような画像が前記画像データによって表される可視画像に含まれている場合には、その一定の距離間隔を求めることで前記規則性を抽出し、
前記読取手段は、副走査方向に搬送される前記記録材から複数の前記線分画像を順次読み取り、
前記読取手段が一定の時間間隔で各々の前記線分画像を読み取ることができなかった場合には、前記第１の判断手段は前記可視画像に規則性が存在しないと判断し、前記情報出力手段は、前記記録材の主走査方向と略平行な方向に延びるしわの発生に関連した情報を出力する請求項１記載の画像形成装置。
【請求項３】
前記不可視画像形成手段は、主走査方向に平行な複数の不可視の線分画像を副走査方向に沿って一定の間隔で像担持体に形成して該線分画像を記録材に転写し、
前記読取手段は、副走査方向に搬送される前記記録材から複数の前記線分画像を順次読み取り、
前記読取手段が一定の時間間隔で各々の前記線分画像を読み取ることができなかった場合には、前記第２の判断手段は前記不可視画像に規則性が存在しないと判断し、前記情報出力手段は、前記記録材の主走査方向と略平行な方向に延びるしわの発生に関連した情報を出力する請求項１記載の画像形成装置。
【請求項４】
前記読取手段によって各々の前記線分画像が読み取られた時間間隔と、前記一定の時間間隔との時間差を求め、その時間差に対し前記記録材の搬送速度を乗算して該記録材の伸縮量を算出する算出手段を備え、
前記情報出力手段は、前記算出手段によって算出された伸縮量に応じた内容の情報を出力する請求項２または３記載の画像形成装置。
【発明の詳細な説明】
【技術分野】
【０００１】
本発明は、画像が形成された記録材にしわが発生する兆候を検知するための技術に関する。
【背景技術】
【０００２】
カラープリンタやカラー複写機等の電子写真方式の画像形成装置は、露光、現像、転写、定着、という幾つかの工程を経ることによって用紙（記録材）にトナー像を形成する。これら各工程のうち定着を行う定着装置は、用紙の搬送路を挟んで対向するように配置された一対のロール部材を備えている。そして、これらのロール部材が互いに接触する領域（ニップ領域）を用紙が通過する際に、その用紙に熱と圧力を加えることによってトナーを用紙に定着させる。
【０００３】
ところが、ニップ領域に突入する際の用紙の突入姿勢が悪かったり、用紙における熱や含水率の分布が不均一であったりすると、用紙にしわが発生してしまうことが知られている。このようなしわが連続して発生するようになると、用紙に形成されたトナー像が歪んでしまって画質が極度に劣化してしまうから、画像形成装置はそれ以上の使用に堪えることはできない。このような場合には、ユーザは直ちに、画像形成装置のメンテナンスを専門に行う者に連絡し、装置の修理や調整を依頼する必要がある。
【０００４】
そこで、用紙に発生したしわを検知するための技術が従来から幾つか提案されている。その代表的なものに、例えば特許文献１〜３に記載された技術がある。特許文献１に記載された技術は、しわが発生すると用紙の一部が折れ曲がって用紙の厚みが変化する現象に着目したものである。具体的には、１対の搬送ロールの軸が変位した量を監視しておき、その変位量が極端に大きくなった場合にはしわが発生したと判断する、という仕組みである。また、特許文献２に記載された技術も、特許文献１と同様にしわが発生すると用紙の厚みが変化することに着目し、定着ロールの軸の両端の変位量をセンサで検出してしわの発生を検知するというものである。そして、特許文献３に記載された技術は、しわが発生すると用紙面が凸凹形状になることに着目したものであり、搬送路面から用紙までの距離の変位量（つまり用紙の凸凹形状）をセンサで検出してしわの発生を検知する、という構成を採っている。
【０００５】
【特許文献１】特開平５−２４７１３号公報
【特許文献２】特開平９−２６９６９７号公報
【特許文献３】特開平９−２０２５１９号公報
【発明の開示】
【発明が解決しようとする課題】
【０００６】
特許文献１〜３に記載された技術（以下、従来技術という）は、用紙の一部が折れ曲がったり用紙面が凸凹形状になったりする等の比較的明瞭なしわが発生した場合には、それを検知することができる。ただし、そのようなしわが発生したことは、そもそも画質を見れば一目瞭然であるから、ユーザは従来技術に頼らずともしわの存在を自ら認知することができるはずである。要するに、これらの従来技術は、しわが発生したことをユーザに直ちに警告することによって、例えばユーザがしわの発生を見過ごしてしまった状態で連続何十枚〜何百枚もの多数枚の画像形成処理を行ってしまうような無駄を防止する、という効果を奏するにすぎない。
【０００７】
本願発明者がしわの発生するメカニズムについて考察したところ、しわは唐突に発生するのではなく、最初は人間の目では知覚できない程度の兆候が徐々に現れ、それから時間が経過するに従って段々と大きなしわが発生することが解明されている。このようなしわ発生の兆候が現れた段階でそれを検知することが出来れば、その時点ではほとんど視認できない程度でしか画質が劣化していないはずだから、ユーザは当分の間は画像形成装置を使用し続けることができる。また、その使用期間中に時間的な余裕をもって装置の修理や調整等を依頼することもできる。即ち、しわが発生する兆候をいち早く察知して適切な対応を採ったほうがユーザにとっては利便性が高いと言える。
【０００８】
本発明はこのような背景に鑑みてなされたものであり、その目的は、画像が形成される記録材にしわが発生する兆候をより早くより確実に検知することにある。
【課題を解決するための手段】
【０００９】
上記課題を解決するため、本発明は、画像データに基づいて可視画像を像担持体に形成し、該可視画像を記録材に転写する画像形成手段と、前記画像データによって表される可視画像が有する規則性を抽出する抽出手段と、前記抽出手段によって規則性が抽出されなかった場合には、或る規則性を有する不可視画像を像担持体に形成し、該不可視画像を記録材に転写する不可視画像形成手段と、前記記録材の搬送路を挟んで対向する一対の部材が接触するニップ領域において、前記記録材を加熱及び加圧することによって前記可視画像または前記不可視画像を前記記録材に定着させる定着手段と、前記定着手段による定着処理を経た記録材から前記可視画像または前記不可視画像を読み取る読取手段と、前記抽出手段によって規則性が抽出された場合には、前記読取手段によって読み取られた前記可視画像に当該規則性が存在するか否かを判断する第１の判断手段と、前記抽出手段によって規則性が抽出されなかった場合には、前記読取手段によって読み取られた前記不可視画像に前記或る規則性が存在するか否かを判断する第２の判断手段と、前記第１の判断手段または前記第２の判断手段によって規則性が存在しないと判断された場合には、前記記録材におけるしわの発生に関連した情報を出力する情報出力手段とを備えた画像形成装置を提供する。
【００１０】
記録材にしわが発生し始める前には、記録材が不均一に延びたり縮んだりしてくる。例えそれが微少な伸び縮みであっても、記録材に形成されている画像の規則性に影響を及ぼすことになる。本発明に係る画像形成装置によれば、可視画像または不可視画像に規則性が存在するか否かを判断し、規則性が存在していない場合には、情報出力手段が記録材におけるしわの発生に関連した情報を出力する。よって、画質に重大な影響を及ぼすようなしわが発生する前に、しわ発生に関連する情報を伝えることができる。本発明における画像データとは、ユーザが所望する任意の画像を表す画像データであり、例えばパーソナルコンピュータやサーバマシンなどのホスト装置から送信されてくる画像データや、画像読取ユニットによって生成された画像データなどである。本発明に係る画像形成装置によれば、このような画像データによって表される可視画像が規則性を有していない場合には、不可視画像形成手段が規則性を有する不可視画像を用紙に転写し、この不可視画像を用いてしわ発生の兆候を検知する。よって、しわ発生の兆候を検知するための専用画像を形成する手間を少なくすることが可能となる。
【００１１】
なお、本発明において、「可視」および「不可視」とは、記録材に形成された画像が、可視光領域における特定の波長の吸収に起因する発色性の有無により、人間の目で認識し得る程度であるかどうかを意味する。「可視画像」とは、その可視画像を形成する可視現像剤が可視光領域における特定の波長の吸収に起因する発色性を有するために、可視光領域において目視により認識できる画像である。一方、「不可視画像」とは、可視光領域以外の領域（例えば赤外光領域）において、例えば赤外光領域の光を光源とした場合にフォトダイオードやＣＣＤ（Charge Coupled Device）等の読取手段により読み取ることができる画像であると共に、その不可視画像を形成する不可視現像剤が可視光領域における特定の波長の吸収に起因する発色性を有さないために、可視光領域においては目視によりほとんど認識することができない画像を意味する。特に可視画像形成手段と不可視画像形成手段とによって像担持体に形成された可視画像及び不可視画像が重ね合わせられて同一の記録材に転写されるような場合には、読取手段が、重ね合わされた可視画像及び不可視画像の中から不可視画像を正確に読み取る必要がある。このため、不可視画像は、可視光領域においては目視によりほとんど認識することができない画像であると共に、可視光領域以外の領域（例えば赤外光領域）においては、例えば可視光領域の光を光源とした場合にフォトダイオードやＣＣＤ等の読取手段により読み取ることができないような画像にすることが望ましい。
【００１２】
本発明の好ましい態様においては、前記抽出手段は、主走査方向に平行な複数の線分画像が副走査方向に沿って一定の距離間隔で配置されるような画像が前記画像データによって表される可視画像に含まれている場合には、その一定の距離間隔を求めることで前記規則性を抽出し、前記読取手段は、副走査方向に搬送される前記記録材から複数の前記線分画像を順次読み取り、前記読取手段が一定の時間間隔で各々の前記線分画像を読み取ることができなかった場合には、前記第１の判断手段は前記可視画像に規則性が存在しないと判断し、前記情報出力手段は、前記記録材の主走査方向と略平行な方向に延びるしわの発生に関連した情報を出力する。このようにすれば、第１の判断手段は、読取手段によって複数の線分画像が一定の時間間隔で読み取られたか否かに基づいて規則性の有無を判断することができる。即ち、比較的簡易な構成によって可視画像の規則性の有無を判断することが可能となる。
【００１３】
また、本発明の別の好ましい態様においては、前記不可視画像形成手段は、主走査方向に平行な複数の不可視の線分画像を副走査方向に沿って一定の間隔で像担持体に形成して該不可視画像を記録材に転写し、前記読取手段は、副走査方向に搬送される前記記録材から複数の前記線分画像を順次読み取り、前記読取手段が一定の時間間隔で各々の前記線分画像を読み取ることができなかった場合には、前記第２の判断手段は前記不可視画像に規則性が存在しないと判断し、前記情報出力手段は、前記記録材の主走査方向と略平行な方向に延びるしわの発生に関連した情報を出力する。このようにすれば、第２の判断手段は、読取手段によって複数の線分画像が一定の時間間隔で読み取られたか否かに基づいて規則性の有無を判断することができる。即ち、比較的簡易な構成によって不可視画像の規則性の有無を判断することが可能となる。
【００１４】
さらに、本発明においては、前記読取手段によって各々の前記線分画像が読み取られた時間間隔と、前記一定の時間間隔との時間差を求め、その時間差に対し前記記録材の搬送速度を乗算して該記録材の伸縮量を算出する算出手段を備え、前記情報出力手段は、前記算出手段によって算出された伸縮量に応じた内容の情報を出力するようにしてもよい。記録材の伸縮量は、しわが発生する兆候の度合いを示すものであるから、その度合いに応じて、例えばしわが発生する可能性が大きいとか、しわが発生するまでにはまだ時間的な余裕があるといったような情報を出力することが可能となる。
【００１５】
なお、前記情報出力手段は、前記記録材にしわが発生する可能性があること乃至前記記録材にしわが発生し始めていることを表すメッセージを出力することが望ましい。このようにすれば、画像形成装置のユーザは、記録材にしわが発生する可能性があること乃至記録材にしわが発生し始めていることを簡単に知ることができ、直ちに適切な対応をとることができる。
【発明を実施するための最良の形態】
【００１６】
まず、本発明の実施形態の説明に用いる主要な用語について定義しておく。
「主走査方向」とは、画像形成装置においてトナー像をライン単位で像担持体に形成する際のそのラインが延びる方向を意味しており、像担持体の回転軸方向と一致する。「副走査方向」とは、像担持体表面が移動（回転）する方向であり、用紙の搬送方向と一致する。これら主走査方向と副走査方向とは互いに直交する関係にある。
【００１７】
次に、しわの方向について定義する。「記録材（用紙）の副走査方向と略平行な方向に延びるしわ」とは、図１の模式図に示したような副走査方向ｍに沿って発生するしわＷmを指している。このような方向のしわＷmが発生するのは、用紙Ｐが主走査方向に伸縮するからである。図１では、主走査方向の長さＤmが主走査方向ｎにΔｄだけ縮んだり伸びたりする様子を図示している。これに対し、「記録材（用紙）の主走査方向と略平行な方向に延びるしわ」とは、図１に示したような主走査方向ｎに沿って発生するしわＷｎを指している。このような方向のしわＷnが発生するのは、用紙Ｐが副走査方向に伸縮するからである。図１では、副走査方向の長さＤnが副走査方向にΔｄだけ縮んだり伸びたりする様子を図示している。
【００１８】
以下、本発明の実施の形態について詳細に説明する。
（１）装置構成
図２は、実施形態に係る画像形成装置１００の全体構成を示した図である。この画像形成装置１００は、例えばカラープリンタやカラー複写機、或いはこれらの複数の機能を兼ね備えた複合機等である。図２に示すように、画像形成装置１００の構成は、画像形成ユニット１０と、画像読取ユニット２０と、用紙供給ユニット３０とに大別される。さらに、画像形成装置１００は、ユーザが各種の操作を行うためのユーザインタフェース装置５０を備えている。このユーザインタフェース装置５０は、タッチパネルとして機能する液晶ディスプレイを備えており、ユーザはこの液晶ディスプレイに触れることで各種操作を行うことができる。
【００１９】
用紙供給ユニット３０は、用紙トレイ３１ａ，３１ｂ，３１ｃ及び手差しトレイ３２といった用紙供給源と、この用紙供給源から図中の点線Ｓによって示される搬送路を経由して画像形成ユニット１０へ用紙を搬送するための搬送ロール３４ａ〜３４ｃやレジストロール３４ｄとを備えている。より具体的には、用紙トレイ３１ａ，３１ｂ，３１ｃにそれぞれ収容された用紙Ｐ１，Ｐ２，Ｐ３は、各用紙トレイ３１ａ，３１ｂ，３１ｃに設けられた給紙ロール３１１ａ，３１１ｂ，３１１ｃによって１枚ずつ搬送路Ｓに送り出され、さらに、搬送ロール３４ａ〜３４ｃやレジストロール３４ｄによって画像形成ユニット１０へと搬送される。また、手差しトレイ３２の上面には用紙Ｐ４が複数枚載置されるようになっている。これらの用紙Ｐ４は給紙ロール３２１によって１枚ずつ搬送路Ｓに送り出され、さらに、搬送ロール３４ａ〜３４ｃやレジストロール３４ｄによって画像形成ユニット１０へと搬送されるようになっている。
【００２０】
画像読取ユニット２０は、原稿送り装置２１と、ＣＣＤ等により構成される光学系部材２２とを備えている。画像読取ユニット２０は、原稿送り装置２１によって図示せぬプラテンガラスに順番に載置される原稿の画像を光学系部材２２によって読み取り、読み取った画像を表す画像データを生成する。また、画像形成装置１００は図示しない通信インタフェースを介してＬＡＮ（Local Area Network）等のネットワークに接続されており、パーソナルコンピュータやサーバマシンなどのホスト装置からＬＡＮを経由して送信されてくる画像データを受信する。画像形成ユニット１０は、画像読取ユニット２０によって生成された画像データや、通信インタフェースを介して受信した画像データに基づいて画像形成処理を行う。つまり、これらの画像データは、ユーザが所望する任意の画像を表す画像データである。
【００２１】
次に、画像形成ユニット１０は、感光体ドラム１１と、帯電装置１２と、露光装置１３と、ロータリー現像装置１４と、クリーニング装置１５と、中間転写ベルト１６と、支持ロール１７と、一次転写ロール１８と、二次転写ロール１９と、対向ロール４０と、搬送ベルト４１と、定着装置４２とを備えている。感光体ドラム１１の外周面（ドラム表面）には感光層が形成されており、像担持体として機能する。この感光体ドラム１１は図示せぬ駆動機構によって図中矢印ａ方向に回転させられる。帯電装置１２は、例えばロール型帯電装置やコロトロン型帯電装置であり、感光体ドラム１１の表面を所定の電位に一様に帯電させる。露光装置１３は、一様に帯電した感光体ドラム１１に対し、画像データに応じて変調されたレーザ光を照射し、感光体ドラム１１の表面に静電潜像を形成する。
【００２２】
ロータリー現像装置１４は、それぞれＹ（イエロー）、Ｍ（マゼンタ）、Ｃ（シアン）、Ｋ（ブラック）の各色のトナー（現像剤）をそれぞれ収容する現像器１４Ｙ，１４Ｍ，１４Ｃ，１４Ｋの他、不可視トナーを収容する現像器１４Ｆを備えている。本実施形態で用いる不可視トナーは、可視光領域（４００ｎｍ〜７００ｎｍ）における吸収率が所定割合以下のために人間の目では認識できない程度であり、近赤外光領域（８００ｎｍ〜１０００ｎｍ）における吸収率が所定割合以上のために、赤外光感度を有するセンサによって読み取り可能なものである。このロータリー現像装置１４が図示せぬ駆動機構によって図中矢印ｂ方向に回転させられることにより、これら５つの現像器１４Ｙ，１４Ｍ，１４Ｃ，１４Ｋ，１４Ｆは順番に感光体ドラム１１と近接した位置に移動させられる。そして、各現像器１４Ｙ，１４Ｍ，１４Ｃ，１４Ｋ，１４Ｆに収容された各トナーが、それぞれの色（不可視トナーを含む）に対応する静電潜像に電気的に転移させられることによって、感光体ドラム１１の表面にトナー像が形成される。図２においては、不可視トナーを収容する現像器１４Ｆが感光体ドラム１１と近接する位置にあり、感光体ドラム１１の表面に不可視画像が形成されている時の様子が示されている。
【００２３】
中間転写ベルト１６は、無端のベルト部材であり、その内周面を複数の支持ロール１７（図２では２つ）と一次転写ロール１８と二次転写ロール１９とによって張架された状態で、矢印ｃ方向に周回移動させられる。一次転写ロール１８は、感光体ドラム１１との間で中間転写ベルト１６を挟持しつつ、感光体ドラム１１表面に形成されたトナー像を中間転写ベルト１６の外周面に転写（一次転写）する。感光体ドラム近傍に設けられたクリーニングブレード１５は、一次転写後の感光体ドラム１１表面に残ったトナーを除去する。二次転写ロール１９は、対向ロール４０との間に形成されるニップ領域において、中間転写ベルト１６の外周面に転写されているトナー像を用紙へ転写（二次転写）する。二次転写後の中間転写ベルト１６の表面に残留しているトナーはベルトクリーナ２３によって除去される。
【００２４】
定着装置４２は、搬送路Ｓを挟んで互いに対向する定着ロール４２ａ及び加圧ロール４２ｂを備えている。定着ロール４２ａは、例えばアルミニウム等の金属製コアの周囲にシリコンゴム等の弾性体層が形成され、さらに弾性体層の表面にＰＦＡ（四フッ化エチレン−パーフルオロアルコキシエチレン共重合樹脂）チューブ等からなる離型層が形成されたロール部材である。この金属製コアの内部には、例えばハロゲンランプ等の熱源が設けられており、定着ロール４２ａの表面温度が所定の温度となるようにロールの内部から加熱する。加圧ロール４２ｂは、金属製コアの周囲に弾性体層が形成され、さらにＰＦＡチューブからなる離型層が形成されたロール部材であり、図示せぬ加圧バネ等によって定着ロール４２ａの方向に付勢されている。定着装置４２は、トナー像が二次転写された用紙に対し、定着ロール４２ａ及び加圧ロール４２ｂによって圧力を加えながら急速に加熱することによってトナー像を用紙に定着させる。この定着処理がなされた後に、用紙は排紙ロール４３ａ，４３ｂによって排紙トレイ４６に排出される。
【００２５】
定着装置４２と排紙ロール４３ａ，４３ｂとの間には、用紙搬送路を形成するためのガイド４４が設けられている、搬送路上方に設けられたガイドの一部には穴４４ａが開けられており、その穴４４ａの上方には可視光感度を有するセンサ４５と、赤外光感度を有するセンサ４７が設けられている。図２ではセンサ４５，４７をそれぞれ１つのみ図示しているが、実際には、センサ４５、４７がそれぞれ２つずつ紙面奥行き方向（主走査方向）に沿って一列に並ぶようにして配置されている。これらのセンサ４５，４７は用紙に現れるしわ発生の兆候を検知するために利用される。
【００２６】
次に、図３のブロック図を参照しながら、画像形成装置１００の制御系の構成について説明する。図３において、制御部１１０は、例えばＭＰＵ（Micro Processor Unit）や各種の特定用途向けのＡＳＩＣ（Application Specific Integrated Circuit）を備えている。制御部１１０は、記憶部１２０に記憶されている制御プログラムなどに従って、画像形成装置１００の画像形成ユニット１０、画像読取ユニット２０及び用紙供給ユニット３０の動作を制御する。画像形成ユニット１０には前述したセンサ４５，４６が含まれており、制御部１１０はこのセンサ４５，４６からの出力信号に基づいてしわが発生する兆候について監視し、しわ発生の兆候が現れたらその旨のメッセージをユーザインタフェース装置５０に表示させる。
【００２７】
（２）しわ発生の兆候を検知するための原理
用紙にしわが発生し始める前には、まず、用紙が不均一に延びたり縮んだりしてくる。例えそれが微少な伸び縮みであっても、この伸縮現象は用紙に形成されている画像に影響を及ぼすことになる。従って、用紙に或る規則性を有する画像を形成しておけば、定着処理を経てその用紙に伸縮現象が現れると、用紙上の画像の規則性が乱されることになる。そこで、画像形成装置１００は、その規則性の乱れをセンサ４５，４７で検知することにより、しわ発生の兆候をいち早く察知することができる。センサ４５は可視画像の規則性の乱れを検知するものであり、センサ４７は不可視画像の規則性の乱れを検知するものである。これが、本実施形態においてしわ発生の兆候を検知するための原理である。
【００２８】
ここで、「或る規則性を有する画像」とは、例えば、用紙において主走査方向に延びる複数の線分画像が副走査方向に向かって一定の距離間隔で配置されたような画像である。ただし、しわが発生する虞があるかどうかを検査しようとするたびに、このような規則性を有する画像をわざわざ用紙に形成するのでは、手間や時間を要するし、用紙の消費によってコストもかかってしまう。そこで、本実施形態では、制御部１１０が、画像読取ユニット２０によって生成された画像データや、通信インタフェースを介して受信した画像データを参照し、これらの画像データが表す可視画像の中に上記のような規則性を有する画像部分が含まれているか否かを調べる。そして、そのような画像部分が含まれている場合には、制御部１１０は、その規則性を抽出しておき、センサ４５が用紙から読み取った可視画像中に、抽出しておいた規則性が存在しているか否かを判断する。定着処理を経た可視画像中に規則性が依然として存在していれば、しわ発生の兆候はない。一方、可視画像中にその規則性が存在していなければ、しわ発生の兆候がある。このようにすれば、しわ発生の兆候を検知するためだけに、専用の画像を用紙にその都度形成するような手間や時間を省くことができるし、用紙を無駄に消費することもない。
【００２９】
ただし、上記のような画像データが表す可視画像の中に、規則性を有する画像部分が含まれていないことも十分にあり得る。このような場合には、しわが発生する兆候があるか否かを検知することができない。そこで、画像形成装置１００は、自ら規則性を有する不可視画像を形成し、これを可視画像と重ね合わせて用紙に転写する。そして、画像形成装置１００は、こようにして重ね合わされた可視画像と不可視画像の中から、不可視画像のみを読み取り、その読み取り結果に基づいて、しわ発生の兆候を検知する。すなわち、画像形成装置１００の制御部１１０は、センサ４７が用紙から読み取った不可視画像に規則性が存在しているか否かを調べ、規則性が存在していれば、しわ発生の兆候はないと判断するし、規則性が存在していなければ、しわ発生の兆候があると判断する。
【００３０】
ここで、上記のような規則性を有する可視画像及び不可視画像の具体例について説明する。
図４は、規則性を有する可視画像の一例であり、格子状の画像（いわゆる「表」）を表している。図４を見て分かるように、この格子状の可視画像ｐｔは、主走査方向ｎに沿って伸びる線分画像ｐｔ−ａ，ｐｔ−ｂ，ｐｔ−ｃ，ｐｔ−ｄ，ｐｔ−ｅ・・・が副走査方向ｍに沿って一定の距離間隔ｄで配列される、という規則的な構造を有している。このような画像の場合、制御部１１０は、画像データの内容を参照して、各々の線分画像ｐｔ−ａ，ｐｔ−ｂ，ｐｔ−ｃ，ｐｔ−ｄ，ｐｔ−ｅ・・・の距離間隔を求めることでその可視画像ｐｔの規則性を抽出し、その規則性の内容を記憶部１２０に記憶しておく。そして、制御部１１０は、定着処理を経た用紙からセンサ４５によって可視画像ｐｔを読み取り、この可視画像ｐｔに含まれる線分画像ｐｔ−ａ，ｐｔ−ｂ，ｐｔ−ｃ，ｐｔ−ｄ，ｐｔ−ｅ・・・の距離間隔が、記憶部１２０に記憶しておいた規則性に合致するか否かを判断する。
【００３１】
このため、記憶部１２０に記憶されている制御プログラムには、画像データの内容を参照して可視画像の規則性を抽出し、抽出した規則性に基づいてしわ発生の兆候があるか否かを判断するためのコンピュータプログラムが含まれている。また、図５はセンサ４５の平面図である。図５に示すように、センサ４５は２つのフォトダイオードＤ１１，Ｄ１２によって構成されている。これらフォトダイオードＤ１１，Ｄ１２は、可視光感度を有しており、検出レベルに応じた大きさの出力信号を出力する。
【００３２】
次に、図６は、規則性がある不可視画像が用紙Ｐに形成されている様子を示した平面図である。この図６に示すように、線分状の不可視画像ＰＴが副走査方向ｍに沿って一定の距離間隔ｄで規則的に配列されることによって、副走査方向ｍに延びる画像列が形成されている。さらに、このような不可視画像ＰＴによって構成される画像列が主走査方向ｎに複数個（図６では２列）並ぶようにして形成されている。このような不可視画像ＰＴを表す画像データは記憶部１２０に予め記憶されている。また、図７はセンサ４７の平面図である。センサ４７は２つのフォトダイオードＤ２１，Ｄ２２によって構成されている。これらフォトダイオードＤ２１，Ｄ２２は赤外光感度を有しており、検出レベルに応じた大きさの出力信号を出力する。
【００３３】
次に、図８は、規則性を有する可視画像が形成された用紙Ｐが定着装置４２を通過する際の様子を図２の矢印ｘ方向から見たときの平面図である。なお、説明をわかりやすくするため、定着装置４２と、排紙ロール４３ａ，４３ｂとの間に設けられたガイド４４と、不可視画像を読み取るためのセンサ４７については図示していない。図８において、定着ロール４２ａと排紙ロール４３ａが図中矢印ｅ方向に回転することによって、用紙Ｐは副走査方向ｍへと搬送され、画像形成装置１００の筐体１に設けられた排紙口から排紙トレイ４６に排出される。また、センサ４５として２つのセンサ４５ａ，４５ｂが主走査方向ｎに沿って並ぶようにして設けられている。これらのセンサ４５ａ，４５ｂは、それぞれのセンサの下方を搬送されていく用紙Ｐから可視画像ｐｔを読み取る。
【００３４】
また、図９は、不可視画像が形成された用紙Ｐが定着装置４２を通過する際の様子を図１の矢印ｘ方向から見たときの平面図である。図９においては、定着装置４２と、ガイド４４と、可視画像を読み取るためのセンサ４５については図示していない。センサ４７として、不可視画像ＰＴの列に対応するように２つのセンサ４７ａ，４７ｂが主走査方向ｎに沿って並ぶようにして設けられている。これらのセンサ４７ａ，４７ｂは、それぞれに対応する列を構成する不可視画像ＰＴを読み取る。なお、画像Ｔは、規則性を有していない可視画像の一例を示したものである。このように、規則性を有していない可視画像Ｔと、規則性を有している不可視画像ＰＴとが用紙上で重ね合わされた状態となっている。
【００３５】
ここで、図１０は、規則性を有する可視画像が形成された用紙において、主走査方向ｎと略平行な方向に延びるしわが発生する兆候が現れた時の様子を模式的に示した図である。図１０において、副走査方向に沿って一定の距離間隔で配列された線分画像に対しては、図中上から順にｐｔ−ａ，ｐｔ−ｂ，ｐｔ−ｃ，ｐｔ−ｄ，ｐｔ−ｅという符号を付している。図１０に示すように、主走査方向ｎと略平行な方向に延びる領域Ｒにおいて、しわの兆候である微少な縮み（縮み量Δｄ）が発生した場合、領域Ｒの発生位置から見て副走査方向ｍの反対側（図中下側）に存在する線分画像ｐｔ−ｃ，ｐｔ−ｄ，ｐｔ−ｅの位置は副走査方向ｍ（図中上側）にΔｄだけ移動する。図１０では、線分画像ｐｔ−ｃ，ｐｔ−ｄ，ｐｔ−ｅが、点線ｐｔ−ｃ’，ｐｔ−ｄ’，ｐｔ−ｅ’で表した本来の位置から、領域Ｒに近づくように実線で表した位置へと上に移動していることを示している。
【００３６】
このような場合、線分画像ｐｔ−ａと線分画像ｐｔ−ｂとの間隔は一定の距離間隔ｄである。これに対し、線分画像ｐｔ−ｃ，ｐｔ−ｄ，ｐｔ−ｅが領域Ｒに近づく方向にΔｄだけずれると、線分画像ｐｔ−ｂと線分画像ｐｔ−ｃとの間隔はｄ−Δｄとなる。従って、センサ４５が線分画像ｐｔ−ａを読み取ってから線分画像ｐｔ−ｂを読み取るまでの時間間隔と、線分画像ｐｔ−ｂを読み取ってから線分画像ｐｔ−ｃを読み取るまでの時間間隔とが異なる値になる。
【００３７】
上述したように、連続する２つの線分をそれぞれ表す２本の線分が一定の時間間隔とは異なる時間間隔で読み取られた場合には、制御部１１０は、主走査方向と略平行な方向に延びるしわが発生する兆候がある旨のメッセージをユーザインタフェース装置５０に表示させる。なお、図１０は、領域Ｒに縮みが発生した場合で説明したが、これとは逆に、領域Ｒに伸びが発生した場合も上記と同様の原理に基づいて、制御部１１０は主走査方向と略平行な方向に延びるしわが発生する兆候があることを認識することができる。
【００３８】
なお、図６に示したような規則性を有する不可視画像の場合であっても、制御部１１０は、上記の可視画像の場合と同様の原理で、しわが発生する兆候があることを検知することができる。この場合も、制御部１１０は、その旨のメッセージをユーザインタフェース装置５０に表示させればよい。
【００３９】
（３）動作例
次に、本実施形態における動作の一例を説明する。
図１１は、図４に示すような可視画像ｐｔに含まれる各々の線分画像がセンサ４５の検出領域に進入するタイミングと、センサ４５によって検知されるレベル波形と、センサ４５によって出力される出力信号との関係を例示した図である。フォトダイオードＤ１１，Ｄ１２は、検出レベルに応じた大きさの出力信号を出力する。従って、線分画像がセンサ４５の検出領域に進入すると、まず、フォトダイオードＤ１１によって出力信号が出力され、次いで、フォトダイオードＤ１２によって出力信号が出力される。図１１に示した波形ｒ１が、フォトダイオードＤ１１によって出力された出力信号を表しており、波形ｒ２がフォトダイオードＤ１２によって出力された出力信号を表している。なお、波形ｒ１はＯ１を原点としており、波形ｒ２はＯ２を原点としている。センサ４５は、減少傾向の波形ｒ１と増加傾向の波形ｒ２とが重なり合った時点から、波形ｒ２が原点Ｏ２に到達するまでの期間はハイ（Ｈ）レベル信号を制御部１１０に出力し、それ以外の期間は、ロー（Ｌ）レベル信号を制御部１１０に出力する。
【００４０】
制御部１１０は、この出力信号がローレベルからハイレベルへ立ち上がったタイミングと、その次の立ち上がりのタイミングとの間の時間ｔが基準値ｔ0であれば、しわ発生の兆候はないと判断する。即ち、一定の距離間隔ｄで形成されている線分画像を一定の時間間隔（基準値ｔ0）で読み取った場合には、線分画像が本来の規則性を有しているから、用紙は伸び縮みしておらず、しわ発生の兆候はないというわけである。なお、この基準値ｔ0は、線分画像の距離間隔ｄを用紙の搬送速度で除算することで予め求めておくことができるので、制御部１１０はこの基準値ｔ0を記憶部１２０に記憶させておけばよい。また、計測値である時間ｔは誤差を含む場合もあり得るので、計測値ｔがｔ0から一定の微少な値Δｔ0だけずれたとしても、ｔ0に一致するとみなすようにしてもよい。
【００４１】
これに対し、図１２に示すように、時間ｔが基準値ｔ0ではないｔ1の場合には、線分画像の位置がずれてきていることを意味するので、制御部１１０はしわ発生の兆候があると判断する。即ち、一定の距離間隔ｄで形成されているはずの線分画像を一定の時間間隔（基準値ｔ0）で読み取ることができなかった場合には、線分画像が規則性を有していないから、用紙が伸び縮みしており、しわ発生の兆候があるというわけである。図１２に示す例では、ｔ0＞ｔ1であるから、制御部１１０は、図１０を用いて説明したような原理に基づいて、主走査方向と略平行な方向に延びるしわが発生する兆候があると判断し、その判断結果に応じた情報を出力する。例えば、主走査方向に沿ってしわが発生する兆候がある旨のメッセージをユーザインタフェース装置５０に表示させるといった具合である。
【００４２】
さらに、制御部１１０は、個々の線分画像が読み取られた時間間隔ｔ1と、予め決められた一定の時間間隔（基準値ｔ0）との時間差に基づいて、しわの発生する兆候の度合いを予測することも可能である。具体的には、時間間隔ｔ1と時間間隔ｔ0との時間差に対して用紙の搬送速度を乗算してΔｄを求めれば、そのΔｄが用紙（領域Ｒ）の伸縮量にほぼ相当することになる。この伸縮量はしわが発生する兆候の度合いを示すものであるから、制御部１１０は、この度合いに応じて、例えばしわが発生する可能性が大きいとか、しわが発生するまでにはまだ時間的な余裕があるといったような各種情報をユーザインタフェース装置５０に表示させればよい。なお、線分画像が読み取られた後の用紙Ｐはそのまま排紙トレイ４６に排出する等すればよい。なお、図６に示したような規則性を有する不可視画像の場合であっても、制御部１１０は、上記の可視画像の場合と同様の原理で、しわが発生する兆候があることを検知することが可能である。
【００４３】
次に、図１３は、制御部１１０の処理の流れを示すフローチャートである。制御部１１０は、例えばホスト装置から通信インタフェースを介して画像形成処理（例えば印刷処理など）が指示されると、この指示に応じて、図１３に示す処理を開始する。まず、制御部１１０は、しわ発生の兆候を検知すべき検知タイミングが到来しているかどうかを判断する（ステップＳ１）。この検知タイミングとは、例えば、電源投入の直後とか、所定枚数の用紙に画像を形成する毎とか、或いは、所定時間が経過する毎等の、予め決められたタイミングである。ここで、検知タイミングが到来したと判断された場合（ステップＳ１；Ｙｅｓ）、制御部１１０は、画像データが示す可視画像の中から規則性を有する画像部分の抽出を試みる（ステップＳ２）。
【００４４】
規則性を抽出できた場合（ステップＳ３：Ｙｅｓ）、制御部１１０は、画像形成装置１００の各部を制御して画像データに基づいた可視画像を用紙に転写し、これを定着装置４２によって定着させてから（ステップＳ４）、センサ４５によって用紙上の可視画像を読み取らせる（ステップＳ５）。そして、制御部１１０は、センサ４５が可視画像（複数の線分画像）の各々を読み取った時間間隔ｔと、記憶部１２０に記憶されている基準値ｔ0とを比較する（ステップＳ６）。この基準値ｔ0は、前述したように、用紙の搬送速度と各々の可視画像（線分画像）の距離ｄとに基づいて予め計算により求めることができるので、制御部１１０はこれを記憶部１２０に記憶させておけばよい。
【００４５】
比較の結果、両者の値が一致しなければ、制御部１１０は、しわの兆候があると判断し（ステップＳ７；Ｙｅｓ）、用紙におけるしわの発生に関連した情報を出力する（ステップＳ８）。例えば、制御部１１０は、用紙にしわが発生する可能性があること或いは用紙にしわが発生し始めていることを表すメッセージをユーザインタフェース装置５０に表示させる。また、ステップＳ６における比較の結果、両者の値が一致すれば、しわ発生の兆候はないので（ステップＳ７；Ｎｏ）、制御部１１０は、そのまま通常の画像形成処理を継続して実行する。
【００４６】
また、ステップＳ３において規則性を抽出できなかった場合（ステップＳ３：Ｎｏ）、制御部１１０は、画像形成装置１００の各部を制御して、画像データに基づいた可視画像と、規則性を有する不可視画像とを重ね合わせて用紙に転写し、これを定着装置４２によって定着させる（ステップＳ９）。次いで、制御部１１０は、用紙上に重ね合わされている可視画像及び不可視画像から不可視画像のみをセンサ４７によって読み取らせる（ステップＳ１０）。そして、制御部１１０は、この不可視画像（複数の線分画像）を読み取った時間間隔ｔと、基準値ｔ0とを比較する（ステップＳ１１）。この後、制御部１１０は、比較の結果に応じて、上述したようにしてしわ発生の兆候について判断すればよい（ステップＳ７）。
【００４７】
以上説明したように、用紙にしわが発生し始める前には、用紙が不均一に延びたり縮んだりしてくるため、用紙に形成されている画像の規則性が乱れてくる。本実施形態に係る画像形成装置１００は、その規則性に乱れがあるか否かを判断し、乱れがあると判断された場合には、用紙におけるしわの発生に関連した情報を出力する。よって、画質に重大な影響を及ぼすようなしわが発生する前に、しわ発生に関連する情報をユーザに伝えることができる。また、画像データが表す可視画像中に規則性を有する画像部分が含まれている場合には、その画像データを用いてしわ発生の兆候を検査するので、しわ発生の兆候を検知するための専用画像を形成する手間を省くことができる。一方、上記のような画像データが表す可視画像の中に、規則性を有する画像部分が含まれていない場合には、画像形成装置１００が自ら規則性を有する不可視画像を形成し、この不可視画像を用いてしわ発生の兆候を検知する。これにより、しわ発生の兆候を検知するための専用画像を形成する手間を必要最小限に抑えることができる。
【００４８】
（４）変形例
上述した実施形態は次のような変形が可能である。
実施形態においては、像担持体としての感光体ドラム１１とロータリー現像装置１４とを備えたいわゆるサイクル方式や画像形成装置を例に挙げて説明したが、この他にも、例えば、複数の感光体ドラムを中間転写ベルトに外周に沿って直列に配置したいわゆるタンデム方式の画像形成装置であってもよい。また、画像形成装置１００はＹ，Ｍ，Ｃ，Ｋ４色のトナー（現像剤）を用いたカラー画像を形成するものに限定されず、レッド、ブルー、グリーン等の色の現像剤を用いるものであってもよいし、モノクロ画像を形成するものであってもよい。
【００４９】
ここで、図１４は、タンデム方式の画像形成装置に本発明を適用した場合の画像形成装置１０１の構成を示した図である。図１４において、画像形成エンジン１Ｙ，１Ｍ，１Ｃ，１Ｋはそれぞれ、イエロー（Ｙ）色、マゼンダ（Ｍ）色、シアン（Ｃ）色およびブラック（Ｋ）色の各色のトナー像を形成する。また、画像形成エンジン１Ｆは、不可視トナーを用いた不可視画像を形成する。例えば画像形成エンジン１Ｙは、矢印Ａ方向に回転する感光体１１ドラムＹと、感光体ドラム１１Ｙを決められた帯電電位に一様に帯電させる帯電装置１２Ｙと、Ｙ，Ｍ，Ｃ，Ｋ各色の画像データのうちＹ（イエロー）の画像データに応じた光を感光体ドラム１１Ｙに照射して静電潜像を形成する露光装置１３Ｙと、静電潜像にイエローのトナーを供給し感光体ドラム１１Ｙの表面にトナー像を形成させる現像装置１４Ｙと、中間転写ベルト２にトナー像を一次転写するための一次転写ロール１５Ｙと、一次転写後の感光体ドラム１１Ｙの表面に残留するトナーを除去するクリーニング装置１６Ｙとを備えている。また、画像形成エンジン１Ｆは、感光体ドラム１１Ｆと、感光体ドラム１１Ｆを決められた帯電電位に帯電させる帯電装置１２Ｆと、画像形成装置１０１によって予め記憶された不可視画像を示す画像データに応じた光を感光体１１Ｆに照射して静電潜像を形成する露光装置１３Ｆと、静電潜像に不可視トナーを供給し感光体１１Ｆの表面に不可視画像を形成させる現像装置１４Ｆと、中間転写ベルト２に不可視画像を一次転写するための一次転写ロール１５Ｆと、一次転写後の感光体１１Ｆの表面に残留するトナーを除去するクリーニング装置１６Ｆとを備えている。これ以外の画像形成エンジン１Ｍ，１Ｃ，１Ｋの構成も、トナーの種類が異なる点を除けば、画像形成エンジン１Ｋ，１Ｆとほぼ同様である。
【００５０】
中間転写ベルト２は、複数の各種ロール３に掛け渡されており、これらロール３によって矢印Ｂ方向に周回移動させられる。このように周回移動させられる中間転写ベルト２には、画像形成エンジン１Ｙ，１Ｍ，１Ｃ，１Ｋによって形成されたトナー像が重ね合わされるようにして一次転写される。また、この中間転写ベルト２には、画像形成エンジン１Ｆによって形成された不可視画像が一次転写される。
【００５１】
用紙トレイ４には用紙が複数枚収容されており、給紙トレイ４ａによって搬送路に送り出された用紙は複数の搬送ロール５によって矢印Ｃ方向に搬送される。二次転写ロール６は、上述したように中間転写ベルト２に一次転写されたトナー像を、搬送路上を搬送される用紙に二次転写する。定着装置７は、用紙に二次転写されたトナー像を加熱および加圧することによって用紙に定着させる。定着装置７と排紙ロール８との間には、用紙搬送路を形成するためのガイド９が設けられている、搬送路上方に設けられたガイドの一部には穴９ａが開けられており、その穴９ａの上方には可視光感度を有するセンサ９ｂと赤外光感度を有するセンサ９ｃが設けられている。画像形成装置１０１の制御部はこのセンサ９ｂ，９ｃからの出力信号に基づいて、しわが発生する兆候について監視しており、しわ発生の兆候が現れたらその旨のメッセージを画像形成装置１０１の筐体上面に設けられたユーザインタフェース装置５０に表示させる。以上が、タンデム方式の画像形成装置に本発明を適用した場合の実施例である。
【００５２】
画像データによって表される画像が有する規則性は、図４に例示したものに限らず、一定の規則性を有するものであれば、様々な形状や配置パターンの画像であってもよい。例えば、図４に示したような格子状の画像（「表」）を用いる場合、各々の線分画像の距離間隔が常に一定ではなく、異なる場合もある。このような場合であっても、それぞれの線分画像の距離間隔は画像データに基づいて予め特定し得るため（つまり、センサ４５がどの程度の時間間隔で各線分画像を読み取るべきかを特定し得るため）、しわ発生の兆候を検知するために利用することが可能である。同様に、図６に例示した不可視画像の規則性についても様々なものを適用し得る。
【００５３】
また、センサ４５，４７はフォトダイオードに限定されず、画像を読み取ることが可能なセンサであればよい。例えばＣＣＤであっても良い。また、センサ４５，４７の数はそれぞれ２つに限らず、もっと多くてもよいし、少なくてもよい。また、可視画像を表す画像データの内容には様々なものがあるため、本発明では、規則性が存在する画像部分とセンサ４５との位置関係をどのようにうまく対応させるかが問題となる。例えば、画像のある一部分にのみ規則性が存在していたとしても、その画像部分を読み取ることができるような位置にセンサ４５を設けておかないと、その画像部分を利用してしわ発生の兆候を検知することはできない。そこで、画像のどの部分に規則性が存在したとしても、それを読み取ることが可能なように、例えば数十個程度のセンサ４５を分散して設置しておいてもよい。この場合、規則性が存在する画像部分を読み取ることができる位置に設置されているセンサ４５が読み取った結果のみを利用し、それ以外のセンサ４５の読み取り結果は利用しないようにすればよい。また、数個のセンサ４５だけを用いる場合であっても、各々のセンサを移動させることが可能なように構成しておけば、これらセンサ４５を規則性が存在する画像部分を読み取ることが可能な位置に移動させて画像を読み取らせることができる。なお、画像形成装置１００が自ら、規則性を有する不可視画像を形成する場合には、センサ４７が読み取り可能な用紙上の位置にその不可視画像を形成すれば足りる。
【００５４】
定着装置４２は２つのロール部材によって構成されるものに限らず、要は、用紙の搬送路を挟んで対向する一対の部材が接触するニップ領域において、その用紙を加熱及び加圧することによってトナー像を用紙に定着させるような構成であればよい。例えば定着ロールと加圧ロールとの間にベルト部材を挟みこみ、加圧ロールを定着ロール側に付勢することでニップ領域を形成した定着装置であってもよい。また、チューブ部材の内側にパッド乃至ロールを設けておき、そのパッド乃至ロールを、チューブを介して定着ロール側に付勢することでニップ領域を形成した定着装置であってもよい。
【００５５】
また、実施形態においては、画像が形成される記録材の一例として用紙を挙げて説明したが、これ以外にも、例えばＯＨＰフィルム等のプラスティックや布などの種々の記録材を用いることができる。
【００５６】
なお、実施形態で述べた制御部１１０によって実行される制御プログラムは、磁気テープ、磁気ディスク、フロッピー（登録商標）ディスク、光記録媒体、光磁気記録媒体、ＣＤ（Compact Disk）−ＲＯＭ、ＤＶＤ（Digital Versatile Disk）、ＲＡＭなどの記録媒体に記録した状態で提供し得る。
【図面の簡単な説明】
【００５７】
【図１】本発明の実施形態において発生するしわの方向を説明する模式図である。
【図２】本発明の実施形態に係る画像形成装置の構成を示す図である。
【図３】同画像形成装置の制御系の構成を示すブロック図である。
【図４】用紙に形成されている可視画像の一例を示す平面図である。
【図５】可視センサの構成を示す図である。
【図６】用紙に形成されている不可視画像の一例を示す平面図である。
【図７】不可視センサの構成を示す図である。
【図８】規則性を有する可視画像が形成された用紙が定着装置と排紙ロールとを通過する様子を示した平面図である。
【図９】規則性を有する不可視画像が形成された用紙が定着装置と排紙ロールとを通過する様子を示した平面図である。
【図１０】主走査方向に平行なしわの兆候が発生したときの様子を模式的に示した図である。
【図１１】線分画像がセンサの検出領域に差し掛かるタイミングと、センサによって検知される検知信号の波形及びセンサによって出力される出力信号の波形との関係を例示した図である。
【図１２】線分画像がセンサの検出領域に差し掛かるタイミングと、センサによって検知される検知信号の波形及びセンサによって出力される出力信号の波形との関係を例示した図である。
【図１３】制御部による処理の流れを示すフローチャートである。
【図１４】本発明の変形例に係る画像形成装置の構成を示す図である。
【符号の説明】
【００５８】
１００・・・画像形成装置、１０・・・画像形成ユニット、１１・・・感光体ドラム、１２・・・帯電装置、１３・・・露光装置、１４・・・ロータリー現像装置、１４Ｙ，１４Ｍ，１４Ｃ，１４Ｋ・・・現像器、１６・・・中間転写ベルト、１８・・・一次転写ロール、１９・・・二次転写ロール、２０・・・画像読取ユニット、３０・・・用紙供給ユニット、３１ａ，３１ｂ，３１ｃ・・・用紙トレイ、４２・・・定着装置、４３・・・排紙ロール、４４・・・ガイド、４５（４５ａ，４５ｂ）・・・可視センサ、４７（４６ａ，４６ｂ）・・・不可視センサ、５０・・・ユーザインタフェース装置、１１０・・・制御部、１２０・・・記憶部、ｐｔ・・・可視画像、ＰＴ・・・不可視画像、Ｄ１１，Ｄ１２，Ｄ２１，Ｄ２２・・・フォトダイオード。
【図１】
2006126282.tif 000003
【図２】
2006126282.tif 000004
【図３】
2006126282.tif 000005
【図４】
2006126282.tif 000006
【図５】
2006126282.tif 000007
【図６】
2006126282.tif 000008
【図７】
2006126282.tif 000009
【図８】
2006126282.tif 000010
【図９】
2006126282.tif 000011
【図１０】
2006126282.tif 000012
【図１１】
2006126282.tif 000013
【図１２】
2006126282.tif 000014
【図１３】
2006126282.tif 000015
【図１４】
2006126282.tif 000016